(57)【要約】 【課題】  映像素材のプレビュー時に、素材の一部の範囲を特定して管理する。【解決手段】  画像表示欄２２と、映像素材の開始から終了までの時間位置情報を連続的に表示するための時間位置情報表示欄２３と、映像素材をプレビューするためのプレビュー操作部２６と、映像素材の一部の範囲をシーンとして設定するためのシーン設定操作部２４，２５とを有するＧＵＩ画面を表示し、プレビュー操作部２６の操作に応じて、記録手段から再生させた素材を画像表示部２２に表示させるとともに素材の時間位置情報を時間位置情報表示欄２３に表示させ、画像表示部２２に表示される素材についてシーン設定操作部２４，２５でシーンが設定されたことに基づき、時間位置情報表示欄２３にそのシーン３６，３７の範囲を識別表示させ、シーン設定操作部２４，２５で設定されたシーンについてのコメントを入力するための入力欄を表示させ、この入力欄に入力されたコメントを記憶する。【選択図】  図１０
2006080668.tif 000002
【特許請求の範囲】
【請求項１】
画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するグラフィカルユーザインタフェース画面を表示手段に表示させる第１の処理手段と、
前記プレビュー操作部の操作に応じて、記録手段から映像素材を再生させ、該映像素材を前記画像表示部に表示させるとともに、該映像素材の時間位置情報を前記時間位置情報表示欄に表示させる第２の処理手段と、
前記画像表示部に表示される映像素材について前記シーン設定操作部でシーンが設定されたことに基づき、該シーンの範囲を記憶するとともに、前記時間位置情報表示欄に該シーンの範囲を識別表示させる第３の処理手段と、
前記シーン設定操作部で設定されたシーンについてのコメントを入力するための入力欄を前記表示手段に表示させる第４の処理手段と、
前記入力欄に入力されたコメントを記憶する第５の処理手段と
を行う処理手段を備えたことを特徴とする映像素材の管理装置。
【請求項２】
請求項１に記載の映像素材の管理装置において、
前記シーン設定操作部で設定されたシーンを表示する色を選択する操作を行うための選択欄を前記表示手段に表示させる処理手段と、
前記時間位置情報表示欄に、前記選択欄で選択された色で前記シーンの範囲を表示させる処理手段と
をさらに備えたことを特徴とする映像素材の管理装置。
【請求項３】
画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するグラフィカルユーザインタフェース画面を表示手段に表示させる第１のステップと、
前記プレビュー操作部の操作に応じて、記録手段から映像素材を再生させ、該映像素材を前記画像表示部に表示させるとともに、該映像素材の時間位置情報を前記時間位置情報表示欄に表示させる第２のステップと、
前記画像表示部に表示される映像素材について前記シーン設定操作部でシーンが設定されたことに基づき、該シーンの範囲を記憶するとともに、前記時間位置情報表示欄に該シーンの範囲を識別表示させる第３のステップと、
前記シーン設定操作部で設定されたシーンについてのコメントを入力するための入力欄を前記表示手段に表示させる第４のステップと、
前記入力欄に入力されたコメントを記憶する第５のステップと
を有することを特徴とする映像素材の管理方法。
【請求項４】
請求項３に記載の映像素材の管理方法において、
前記シーン設定操作部で設定されたシーンを表示する色を選択する操作を行うための選択欄を前記表示手段に表示させるステップと、
前記時間位置情報表示欄に、前記選択欄で選択された色で前記シーンの範囲を表示させるステップと
をさらに有することを特徴とする映像素材の管理方法。
【請求項５】
コンピュータに、
画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するグラフィカルユーザインタフェース画面を表示手段に表示させる第１のステップと、
前記プレビュー操作部の操作に応じて、記録手段から映像素材を再生させ、該映像素材を前記画像表示部に表示させるとともに、該映像素材の時間位置情報を前記時間位置情報表示欄に表示させる第２のステップと、
前記画像表示部に表示される映像素材について前記シーン設定操作部でシーンが設定されたことに基づき、該シーンの範囲を記憶するとともに、前記時間位置情報表示欄に該シーンの範囲を識別表示させる第３のステップと、
前記シーン設定操作部で設定されたシーンについてのコメントを入力するための入力欄を前記表示手段に表示させる第４のステップと、
前記入力欄に入力されたコメントを記憶する第５のステップと
を実行させるプログラムを記録したことを特徴とするコンピュータ読み取り可能な記録媒体。
【請求項６】
コンピュータに、
画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するグラフィカルユーザインタフェース画面を表示手段に表示させる第１のステップと、
前記プレビュー操作部の操作に応じて、記録手段から映像素材を再生させ、該映像素材を前記画像表示部に表示させるとともに、該映像素材の時間位置情報を前記時間位置情報表示欄に表示させる第２のステップと、
前記画像表示部に表示される映像素材について前記シーン設定操作部でシーンが設定されたことに基づき、該シーンの範囲を記憶するとともに、前記時間位置情報表示欄に該シーンの範囲を識別表示させる第３のステップと、
前記シーン設定操作部で設定されたシーンについてのコメントを入力するための入力欄を前記表示手段に表示させる第４のステップと、
前記入力欄に入力されたコメントを記憶する第５のステップと
を実行させることを特徴とするプログラム。
【発明の詳細な説明】
【技術分野】
【０００１】
本発明は、収録した映像素材の一部の範囲を特定して管理するための装置及び方法等に関する。
【背景技術】
【０００２】
今日、テレビジョン放送局には、ビデオサーバーを用いた収録・編集・送出システムが導入されている。このシステムでは、一般に、収録した映像素材をプレビューしながらＧＵＩ画面でトリミング（素材から必要な部分を切り出す作業）を行うことが可能になっている（例えば、特許文献１参照）。
【特許文献１】特開平６−３４８７９９号公報（段落番号００２０〜２３、図２）
【発明の開示】
【発明が解決しようとする課題】
【０００３】
ところで、映像素材には版権等の著作権を伴っているものが多いので、トリミングによって切り出した素材には、或る範囲に亘って著作権を伴うシーンが含まれている場合が多い。その素材を実際に送出する際には、そのシーンについて著作権者の許諾を得たり使用料を支払ったりしなければならない。
【０００４】
そのためには、トリミングを行うためのプレビュー時に、映像素材の中から著作権を伴う範囲を特定し、その範囲が著作権を伴うものであることを示す付加情報（メタデータ）を作成できるようにすることが望まれる。しかし、従来の収録・編集・送出システムでは、このように映像素材の一部の範囲を特定して管理することはできなかった。
【０００５】
本発明は、上述の点に鑑み、映像素材のプレビュー時に、映像素材の一部の範囲を特定して管理できるようにすることを課題としてなされたものである。
【課題を解決するための手段】
【０００６】
この課題を解決するために、本発明に係る映像素材の管理装置は、画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するＧＵＩ画面を表示手段に表示させる第１の処理手段と、このプレビュー操作部の操作に応じて、記録手段から映像素材を再生させ、その映像素材をこの画像表示部に表示させるとともに、その映像素材の時間位置情報をこの時間位置情報表示欄に表示させる第２の処理手段と、この画像表示部に表示される映像素材についてこのシーン設定操作部でシーンが設定されたことに基づき、そのシーンの範囲を記憶するとともに、この時間位置情報表示欄にそのシーンの範囲を識別表示させる第３の処理手段と、このシーン設定操作部で設定されたシーンについてのコメントを入力するための入力欄をこの表示手段に表示させる第４の処理手段と、この入力欄に入力されたコメントを記憶する第５の処理手段を備えたことを特徴とする。
【０００７】
この映像素材の管理装置では、画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するＧＵＩ画面が表示手段に表示される。
【０００８】
そして、プレビュー操作部を操作すると、記録手段から再生された映像素材が画像表示部に表示されるとともに、その映像素材の時間位置情報が時間位置情報表示欄に表示される。
【０００９】
この画像表示部で映像素材をプレビューしながら、シーン設定操作部でその映像素材の任意の範囲（例えば著作権を伴う範囲）をシーンとして設定すると、そのシーンの範囲が記憶されるとともに、時間位置情報表示欄にそのシーンの範囲が識別表示される。
【００１０】
また、この特定したシーンについてのコメントを入力するための入力欄が表示手段に表示され、この入力欄に適宜のコメント（例えばそのシーンが著作権を伴っている旨のコメント）を入力すると、そのコメントが記憶される。
【００１１】
このように、映像素材をプレビューしながら、映像素材の一部の範囲をシーンとして設定して、映像素材の時間位置情報が表示される時間位置情報表示欄でそのシーンを確認することができるとともに、そのシーンについてのコメントを入力することができ、その設定したシーンの範囲や入力したコメントが付加情報（メタデータ）として記憶される。
【００１２】
したがって、映像素材のプレビュー時に、プレビューのための作業と、映像素材の一部の範囲を特定して管理するための作業とを、統一された操作環境で行うことができる。これにより、映像素材のプレビュー時に、効率的に、映像素材の一部の範囲を特定して管理することができる。
【００１３】
なお、この映像素材の管理装置において、一例として、シーン設定操作部で設定されたシーンを表示する色を選択する操作を行うための選択欄を表示手段に表示させる処理手段と、時間位置情報表示欄に、この選択欄で選択された色でシーンの範囲を表示させる処理手段とをさらに備えることが好適である。
【００１４】
それにより、設定したシーンの属性（例えば著作権を伴うシーンであるかそれ以外の理由で特定したシーンであるか）に応じて時間位置情報表示欄に異なる色でシーンを表示させることができる。したがって、設定した個々のシーンの属性を視覚的に瞬時に把握することができるようになる。
【００１５】
次に、本発明に係る映像素材の管理方法は、画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するＧＵＩ画面を表示手段に表示させる第１のステップと、このプレビュー操作部の操作に応じて、記録手段から映像素材を再生させ、その映像素材をこの画像表示部に表示させるとともに、その映像素材の時間位置情報をこの時間位置情報表示欄に表示させる第２のステップと、この画像表示部に表示される映像素材についてこのシーン設定操作部でシーンが設定されたことに基づき、そのシーンの範囲を記憶するとともに、この時間位置情報表示欄にそのシーンの範囲を識別表示させる第３のステップと、このシーン設定操作部で設定されたシーンについてのコメントを入力するための入力欄をこの表示手段に表示させる第４のステップと、この入力欄に入力されたコメントを記憶する第５のステップとを有することを特徴とする。
【００１６】
また、本発明に係るコンピュータ読み取り可能な記録媒体は、コンピュータに、画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するＧＵＩ画面を表示手段に表示させる第１のステップと、このプレビュー操作部の操作に応じて、記録手段から映像素材を再生させ、その映像素材をこの画像表示部に表示させるとともに、その映像素材の時間位置情報をこの時間位置情報表示欄に表示させる第２のステップと、この画像表示部に表示される映像素材についてこのシーン設定操作部でシーンが設定されたことに基づき、そのシーンの範囲を記憶するとともに、この時間位置情報表示欄にそのシーンの範囲を識別表示させる第３のステップと、このシーン設定操作部で設定されたシーンについてのコメントを入力するための入力欄をこの表示手段に表示させる第４のステップと、この入力欄に入力されたコメントを記憶する第５のステップとを実行させるプログラムを記録したことを特徴とする。
【００１７】
また、本発明に係るプログラムは、コンピュータに、画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するＧＵＩ画面を表示手段に表示させる第１のステップと、このプレビュー操作部の操作に応じて、記録手段から映像素材を再生させ、その映像素材をこの画像表示部に表示させるとともに、その映像素材の時間位置情報をこの時間位置情報表示欄に表示させる第２のステップと、この画像表示部に表示される映像素材についてこのシーン設定操作部でシーンが設定されたことに基づき、そのシーンの範囲を記憶するとともに、この時間位置情報表示欄にそのシーンの範囲を識別表示させる第３のステップと、このシーン設定操作部で設定されたシーンについてのコメントを入力するための入力欄をこの表示手段に表示させる第４のステップと、この入力欄に入力されたコメントを記憶する第５のステップとを実行させることを特徴とする。
【００１８】
この映像素材の管理方法，この記録媒体に記録されたプログラムを実行するコンピュータ及びこのプログラムを実行するコンピュータでは、画像表示欄と、映像素材の開始から終了までの時間位置情報を連続的に表示するための時間位置情報表示欄と、映像素材をプレビューするためのプレビュー操作部と、映像素材の一部の範囲をシーンとして設定するためのシーン設定操作部とを有するＧＵＩ画面が表示手段に表示される。
【００１９】
そして、プレビュー操作部を操作すると、記録手段から再生された映像素材が画像表示部に表示されるとともに、その映像素材の時間位置情報が時間位置情報表示欄に表示される。
【００２０】
この画像表示部で映像素材をプレビューしながら、シーン設定操作部でその映像素材の任意の範囲（例えば著作権を伴う範囲）をシーンとして設定すると、そのシーンの範囲が記憶されるとともに、時間位置情報表示欄にそのシーンの範囲が識別表示される。
【００２１】
また、この特定したシーンについてのコメントを入力するための入力欄が表示手段に表示され、この入力欄に適宜のコメント（例えばそのシーンが著作権を伴っている旨のコメント）を入力すると、そのコメントが記憶される。
【００２２】
このように、映像素材をプレビューしながら、映像素材の一部の範囲をシーンとして設定して、映像素材の時間位置情報が表示される時間位置情報表示欄でそのシーンを確認することができるとともに、そのシーンについてのコメントを入力することができ、その設定したシーンの範囲や入力したコメントが付加情報（メタデータ）として記憶される。
【００２３】
したがって、映像素材のプレビュー時に、プレビューのための作業と、映像素材の一部の範囲をシーンとして特定して管理するための作業とを、統一された操作環境で行うことができる。これにより、映像素材のプレビュー時に、効率的に、映像素材の一部の範囲を特定して管理することができる。
【発明の効果】
【００２４】
本発明によれば、映像素材のプレビュー時に、プレビューのための作業と、映像素材の一部の範囲をシーンとして特定して管理するための作業とを、統一された操作環境で行うことができる。これにより、映像素材のプレビュー時に、効率的に、映像素材の一部の範囲を特定して管理することができるという効果が得られる。
【００２５】
また、設定した個々のシーンの属性を視覚的に瞬時に把握できるという効果も得られる。
【発明を実施するための最良の形態】
【００２６】
以下、本発明を図面を用いて具体的に説明する。なお、以下では、テレビジョン放送局における収録・編集・送出システムに本発明を適用した例について説明する。
【００２７】
図１は、本発明を適用した収録・編集・送出システムの全体構成を示すブロック図である。このシステムでは、管理端末１，データベース２，ＶＴＲ３，ルーティングスイッチャ４，編集端末５（１）〜５（３）及びルーティングスイッチャ９が、イーサネット６（イーサネット：ＥＴＨＥＲＮＥＴは登録商標）で互いに結ばれている。
【００２８】
また、管理端末１，ルーティングスイッチャ４，編集端末５（１）〜５（３），ビデオサーバー（高解像度用）７，ビデオサーバー（低解像度用）８及びルーティングスイッチャ９が、イーサスイッチ１０を介してギガビットイーサネット１１（太字の線の部分）で互いに結ばれている。
【００２９】
ルーティングスイッチャ４は、ＶＴＲ３や、他の放送局（図ではＡＩＲと表記）や、インターネットまたはイントラネットで接続された撮影現場のテレビジョンカメラ（図ではＬｉｎｅ１〜Ｌｉｎｅ３と表記）といった各入力ソースを、それぞれビデオサーバー７及び８の５系統の収録チャンネルｃｈ１〜ｃｈ５のうちの所望のチャンネルに接続させるための装置である。図示は省略するが、ルーティングスイッチャ４の出力側には、各収録チャンネルｃｈ１〜ｃｈ５毎に、入力ソースからのＳＤＩフォーマットのデータをイーサネットのフォーマットに変換する機器が設けられている。
【００３０】
編集端末５（１）〜５（３）は、ビデオサーバー８に収録した低解像度のビデオデータ（プロキシビデオデータ）を用いて素材の編集を行う端末である。
【００３１】
ルーティングスイッチャ９は、ビデオサーバー７の複数系統の送出チャンネルを、それぞれ放送局内の所望の送出サーバー等（図示略）に接続させるための装置である。図示は省略するが、ルーティングスイッチャ９の入力側にも、各送出チャンネル毎に、イーサネットのフォーマットのデータをＳＤＩフォーマットに変換する機器が設けられている。
【００３２】
管理端末１は、システム全体を制御して素材の収録・編集・送出を管理する端末であり、この管理を行うためのソフトウェアを実行するコンピュータ（例えばワークステーション）で構成されている。この管理用のソフトウェアは、ＣＤ−ＲＯＭのような記録媒体からインストールしたものである（但し、別の例として、ネットワーク経由でダウンロードしてインストールしてもよい）。データベース２は、管理端末１の操作によって作成された各種データを格納するために用いられる。
【００３３】
図２は、管理端末１のディスプレイに表示されるＧＵＩ画面のうちのトリマーウィンドウ２１を示す。このトリマーウィンドウ２１は、映像素材を収録した後、素材ファイルをプレビューしながら、トリミング及びシーンの設定・管理を行うための画面である。
【００３４】
このトリマーウィンドウ２１には、素材ファイルが画像表示されるモニターエリア２２が設けられるとともに、その下側にプレイライン２３が設けられている。プレイライン２３は、素材ファイルの開始から終了までの時間位置情報が横方向に連続的に表示される欄である。
【００３５】
プレイライン２３の下側には、シーンイン点釦２４，シーンアウト点釦２５，コントロール釦２６，イン点釦２７，イン点表示欄２８，アウト点釦２９，アウト点表示欄３０，上書きセーブ釦３９及び新規セーブ釦４０が設けられている。
【００３６】
シーンイン点釦２４及びシーンアウト点釦２５は、素材ファイルのうちの任意の開始点及び終了点とを指定することにより、その開始点から終了点までの範囲をシーンとして設定するための釦である。
【００３７】
コントロール釦２６は、素材ファイルをプレビューするための釦であり、左から順に、下記の機能を有する６つの釦から成っている。
・素材ファイルの先頭に移動する釦
・直前のフレームに移動する釦
・素材ファイルの再生を開始したり再生を一時停止する釦
・次のフレームに移動する釦
・素材ファイルの末尾に移動する釦
・素材ファイルの先頭（イン点釦２７でイン点が設定されている場合にはイン点）から末尾（アウト点釦２９でアウト点が設定されている場合にはアウト点）まで繰り返し再生する釦
【００３８】
イン点釦２７，アウト点釦２９は、トリミングを行う（イン点釦２７で設定したイン点からアウト点釦２９で設定したアウト点までを、必要な部分として切り出す）ための釦である。イン点表示欄２８，アウト点表示欄３０は、それぞれイン点釦２７，アウト点釦２９で設定したイン点，アウト点のタイムコードが表示される欄である。
【００３９】
上書きセーブ釦３９は、このトリマーウィンドウ２１での操作結果を、既存の素材ファイルに上書き保存するための釦である。新規セーブ釦４０は、このトリマーウィンドウ２１での操作結果を、新規の素材ファイルとして保存するための釦である。
【００４０】
モニターエリア２２の上側には、現在タイムコード欄３１及び時間長欄３２が設けられている。現在タイムコード欄３１は、モニターエリア２２に現在表示されているフレームのタイムコードが表示される欄である。時間長欄３２は、イン点釦２７で設定したイン点からアウト点釦２９で設定したアウト点までの時間長が表示される欄である。
【００４１】
管理端末１のディスプレイには、このトリマーウィンドウ２１とは別画面で、素材リスト画面が表示される。図３は、この素材リスト画面の表示例を示す。収録した各素材ファイルのタイトル，タイトルスタンプ（サムネイル画像），ファイル名，素材ＩＤ，作成日及び時間長が一覧表示される。
【００４２】
この素材リスト画面上で、プレビューしたい素材ファイルの欄をマウスでクリックした後、図２のトリマーウィンドウ２１でドラッグ＆ドロップを行うと、その素材ファイルがプレビュー対象として選択される。
【００４３】
図４は、このようにしてプレビュー対象の素材ファイルが選択された後、トリマーウィンドウ２１での操作に基づいて管理端末１内のＣＰＵが実行する処理を示すフローチャートである。
【００４４】
最初に、現在のコントロール釦２６の操作内容に応じて、低解像度用のビデオサーバー８（図１）を制御してプレビュー対象の素材ファイルのビデオデータを出力させ、そのビデオデータをモニターエリア２２に画像表示させるとともに、その素材ファイルの時間位置情報をプレイライン２３に表示させる。また、現在タイムコード欄３１にもタイムコードを表示させる（ステップＳ１）。
【００４５】
続いて、イン点釦２７，アウト点釦２９でのイン点，アウト点の設定操作があったか否かを判断する（ステップＳ２）。ノーであれば、続いて、シーンイン点釦２４及びシーンアウト点釦２５でのシーン設定操作があったか否かを判断する（ステップＳ３）。
【００４６】
ノーであれば、続いて、プレイライン２３にシーンとして表示されている部分の上でマウスが右クリックされたか否かを判断する（ステップＳ４）。ノーであれば、続いて、プレイライン２３にシーンとして表示されている部分にマウスオンされたか否かを判断する（ステップＳ５）。
【００４７】
ノーであれば、続いて、上書きセーブ釦３９または新規セーブ釦４０が操作されたか否かを判断する（ステップＳ６）。そして、ここでもノーであれば、ステップＳ１に戻る。
【００４８】
ステップＳ２でイエスになると、設定されたイン点，アウト点を記憶した上で、プレイライン２３にそのイン点，アウト点の箇所を表示させる。また、イン点表示欄２８，アウト点表示欄３０にそのイン点，アウト点のタイムコードを表示させ、時間長欄３２にもそのイン点からアウト点までの時間長を表示させる（ステップＳ７）。そしてステップＳ１に戻る。
【００４９】
ステップＳ３でイエスになると、設定されたシーンの範囲を記憶した上で、プレイライン２３にそのシーンの範囲を所定のデフォルトカラー（一例として、プレイライン２３を黒地とし、このデフォルトカラーをグレーとする）で表示させる（ステップＳ８）。そしてステップＳ１に戻る。
【００５０】
ステップＳ４でイエスになると、そのシーンについてのコメント入力・色選択用のポップアップメニューを表示させる（ステップＳ９）。図５は、このポップアップメニューの一例を示す。図５Ａに示すように、シーンを削除するためのコマンド‘Delete’と、コメントを入力するためのコマンド‘Edit Comment’と、表示色を選択するためのコマンド‘Type’とが設けられている。
【００５１】
‘Type’にマウスオンすると、表示色を選択するためのサブメニュー４２がドロップダウン表示される。この例では、図に括弧で示すように、赤，黄，青，緑，グレー（デフォルトカラー）という５色の中から１つの色を選択するコマンドが設けられている。
【００５２】
‘Edit Comment’をクリックすると、図５Ｂに示すように、所望のコメントをキー入力するためのコメント入力用ダイアログ４３が表示される。
【００５３】
図４において、ステップＳ９に続き、このポップアップメニューで‘Delete’がクリックされたか否かを判断する（ステップＳ１０）。ノーであれば、図５Ｂのダイアログ４３に入力されたコメントを記憶し（ステップＳ１１）、プレイライン２３でのそのシーンの表示色を、図５Ａのサブメニュー４２で選択された色に変更させる（ステップＳ１２）。そしてステップＳ１に戻る。
【００５４】
他方、ステップＳ１０でイエスであれば、直前のステップＳ４で右クリックされたシーンの表示をプレイライン２３から削除するとともに、そのシーンについて記憶しているコメントを消去する（ステップＳ１３）。そしてステップＳ１に戻る。
【００５５】
ステップＳ５でイエスになると、そのシーンについてステップＳ１１で記録した（図５Ｂのダイアログ４３に入力された）コメントを、トリマーウィンドウ２１のそのシーンの表示位置の近傍に一定時間（例えば数秒間）表示する（ステップＳ１４）。そしてステップＳ１に戻る。
【００５６】
ステップＳ６でイエスになると、それまでのトリマーウィンドウ２１でのトリミング（イン点，アウト点の設定）やシーンの設定（シーンの開始点及び終了点の指定）・管理（コメントの入力や表示色の選択）の結果を、プレビューした素材ファイルについてのメタデータとしてデータベース２（図１）に上書き保存する（上書きセーブ釦３９の場合）か、または新規の素材ファイルのメタデータとしてデータベース２に保存する（新規セーブ釦４０の場合）（ステップＳ１５）。そしてステップＳ１に戻る。
【００５７】
次に、このトリマーウィンドウ２１のプレイライン２３に各種の情報が表示される様子について説明する。オペレータが、素材ファイルをプレビューするためにコントロール釦２６を操作すると、それに応じて、ビデオサーバー８から出力させたその素材ファイルのビデオデータがモニターエリア２２に画像表示されるとともに、その素材ファイルの時間位置情報がプレイライン２３に表示される（図４のステップＳ１）。
【００５８】
図６は、プレイライン２３への素材ファイルの時間位置情報の表示例を示す。モニターエリア２２には、コントロール釦２６の操作内容に応じて、素材ファイルの或るフレームの画像が表示されている。そして、プレイライン２３には、モニターエリア２２に現在表示されているフレームの前後の時間位置情報が、２０秒単位の目盛り（２本置きに‘００：００：００’，‘００：０１：００’，‘００：０２：００’と時・分・秒の数字が付加された縦方向の破線）で表示されている。また、プレイライン２３には、モニターエリア２２に現在表示されているフレームの時間位置の箇所に、縦方向のポジションバー３３が表示されている。
【００５９】
オペレータが、コントロール釦２６を操作してモニターエリア２２で所望のフレームの画像をプレビューしながら、素材のうちの必要な部分を切り出すためにイン点釦２７及びアウト点釦２９を操作すると、プレイライン２３にそのイン点，アウト点の箇所が表示される（図４のステップＳ２，Ｓ７）。
【００６０】
図７は、プレイライン２３へのこのイン点，アウト点の表示例を示す（モニターエリア２２には図６と同じフレームの画像を表示させた状態を示している）。イン点を表すアイコン３４と、アウト点を表すアイコン３５とが表示されている。
【００６１】
他方、オペレータが、コントロール釦２６を操作してモニターエリア２２で所望のフレームの画像をプレビューしながら、或る条件に該当する範囲（例えば版権を伴っており版権者の許諾が必要な範囲）をシーンとして設定するためにシーンイン点釦２４及びシーンアウト点釦２５を操作すると、プレイライン２３（前述のように黒地）にそのシーンの範囲がデフォルトカラー（前述のようにグレー）で表示される（図４のステップＳ３，Ｓ８）。
【００６２】
図８は、プレイライン２３へのこのシーンの範囲の表示例を示す（モニターエリア２２には図６と同じフレームの画像を表示させ、イン点，アウト点は図７と同じ位置に設定した状態を示している）。プレイライン２３に、２つのシーン３６（斜線部）及びシーン３７（斜線部）が識別表示されている。
【００６３】
このようにしてシーンを設定した後、オペレータが、いずれかのシーンについてコメント入力・色選択用のポップアップメニューを表示させるためにプレイライン２３のそのシーンの表示部分の上でマウスを右クリックし、そのコメントを入力するとともに表示色を選択すると、そのコメントが管理端末１内で記憶されるとともに、プレイライン２３でのそのシーンの表示色が変更される（図４のステップＳ４，Ｓ９〜Ｓ１２）。
【００６４】
図９は、図８のシーン３６についてのポップアップメニューでのコメントの入力例を示す。シーン３６が版権者の許諾が必要な範囲であるため、‘版権許諾必要’というコメントを入力しており、このコメントが管理端末１内で記憶される。また、版権者の許諾が必要な素材の使用には注意を要するので例えば表示色として赤を選択すると、プレイライン２３にシーン３６が赤色で表示される。
【００６５】
このようにしてシーンについてのコメントの入力等を行った後、オペレータが、プレイライン２３のそのシーンの表示部分にマウスオンすると、そのシーンについて入力したコメントが、トリマーウィンドウ２１のそのシーンの表示位置の近傍に一定時間表示される（図４のステップＳ５，Ｓ１４）。
【００６６】
図１０は、図８のシーン３６についてのこのコメントの表示例を示す。シーン３６の表示位置の近傍に、ポップアップメニューで入力したコメントである‘版権許諾必要’（図９）が表示されている。
【００６７】
そして、このようにしてトリミングやシーンの設定・管理を行った後、オペレータが上書きセーブ釦３９または新規セーブ釦４０を操作すると、それらの結果がデータベース２（図１）に保存される（図４のステップＳ６，Ｓ１５）。
【００６８】
以上のように、この管理端末１では、トリマーウィンドウ２１という１つのＧＵＩ画面上で、映像素材をプレビューしながら、映像素材の一部の範囲をシーンとして設定して、映像素材の時間位置情報が表示されるプレイライン２３でそのシーンを確認することができるとともに、そのシーンについてのコメントを入力することができ、その設定したシーンの範囲や入力したコメントが付加情報（メタデータ）として記憶される。
【００６９】
したがって、映像素材のプレビュー時に、プレビューのための作業と、映像素材の一部の範囲をシーンとして特定して管理するための作業とを、同じＧＵＩ画面の統一された操作環境で行うことができる。これにより、映像素材のプレビュー時に、効率的に、映像素材の一部の範囲を特定して管理することができる。
【００７０】
さらに、設定したシーンの属性（例えば著作権を伴うシーンであるかそれ以外の理由で特定したシーンであるか）に応じてプレイライン２３に異なる色でシーンを表示させることができる。したがって、設定した個々のシーンの属性を視覚的に瞬時に把握することができる。
【００７１】
なお、以上の例ではプレイライン２３を横長の表示欄（時間位置情報が横方向に連続的に表示される欄）としているが、これに限らず、プレイライン２３を縦長の表示欄（時間位置情報が縦方向に連続的に表示される欄）としてもよい。
【００７２】
また、以上の例では、モニターエリア２２をプレイライン２３と同じトリマーウィンドウ２１に設けている。しかし、これに限らず、モニターエリアをトリマーウィンドウ２１とは別ウィンドウとして設け、その別ウィンドウとトリマーウィンドウ２１とを並べて表示させるようにしてもよい。その場合にも、やはり、映像素材のプレビュー時に、プレビューのための作業と、映像素材の一部の範囲をシーンとして特定して管理するための作業とを、同じＧＵＩ画面（トリマーウィンドウ２１）の統一された操作環境で行うことができるようになる。
【００７３】
また、以上の例では、ソフトウェアをインストールしたコンピュータで管理端末１を構成しているが、これに限らず、専用のハードウェア機器で管理端末１を構成してもよい。
【００７４】
また、以上の例ではテレビジョン放送局における収録・編集・送出システムに本発明を適用しているが、それ以外の映像素材の編集システムに本発明を適用してもよい。
【図面の簡単な説明】
【００７５】
【図１】本発明を適用した収録・編集・送出システムの全体構成を示すブロック図である。
【図２】図１の管理端末に表示されるトリマーウィンドウを示す図である。
【図３】図１の管理端末に表示される素材リストを示す図である。
【図４】トリマーウィンドウでの操作による管理端末の処理を示すフローチャートである。
【図５】シーンのコメント入力・色選択用ポップアップメニューを示す図である。
【図６】トリマーウィンドウの表示例を示す図である。
【図７】トリマーウィンドウの表示例を示す図である。
【図８】トリマーウィンドウの表示例を示す図である。
【図９】コメント入力・色選択用ポップアップメニューの入力例を示す図である。
【図１０】トリマーウィンドウの表示例を示す図である。
【符号の説明】
【００７６】
１  管理端末、  ２  データベース、  ３  ＶＴＲ、  ４  ルーティングスイッチャ、  ７，８  ビデオサーバー、  ２１  トリマーウィンドウ、  ２２  モニターエリア、  ２３  プレイライン、  ２４  シーンイン点釦、  ２５  シーンアウト点釦、  ２６  コントロール釦、  ３９  上書きセーブ釦、  ４０  新規セーブ釦、  ４１  ポップアップメニュー
【図１】
2006080668.tif 000003
【図２】
2006080668.tif 000004
【図３】
2006080668.tif 000005
【図４】
2006080668.tif 000006
【図５】
2006080668.tif 000007
【図６】
2006080668.tif 000008
【図７】
2006080668.tif 000009
【図８】
2006080668.tif 000010
【図９】
2006080668.tif 000011
【図１０】
2006080668.tif 000012